(57)【要約】【課題】  ロータリ真空包装機中心のロータリバルブと、このロータリバルブの周囲耐圧チャンバーとをホースで連結し、前記ホースの撓み特性を利用して各蓋材の上下への開閉運動を容易化しているが、同ホースの内容積が大きく空気吸引能率が低下し、また同ホースは差圧に順応して収縮するので、配管内に付着する酸素分子を強制排除しにくい。【解決手段】  ロータリバルブ下の分岐ポット４５に回転自在に連結する硬直直管４０と、耐圧チャンバーの蓋材１６に固定した硬直直管３５とを伸縮自在にオーバラツプして管容積を縮小する。枢支点１８を軸とするアーム１５回転軌道２８と、前記分岐ポット４５を軸とする蓋材１６の回転軌道３２とを不平行にすることにより、２つの直管３５、４０のオーバラップ部分は直線軌道上でスライドして管全体は伸縮する。【選択図】  図１
0003112239.tif 000002
【実用新案登録請求の範囲】
【請求項１】
縦軸ロータリバルブの周囲の円軌道に配置した多数の定盤と、前記各定盤上域の蓋材とによりそれぞれ耐圧チャンバーを形成し、前記縦軸でもって回転するロータ上面に一端を枢支する放射状アームの他端で前記各蓋材を支持すると共に、前記枢支点を軸とする各アームの回転により前記定盤上で前記各蓋材を開閉するタイプの真空包装機であって、前記ロータリバルブにおける前記耐圧チャンバーと同数の各ポートから突き出る分岐ポット側面に、硬質のL型管を回転自在に支持すると共に、該L型管の開放端に連結した直管と、前記蓋材から突き出る硬質の直管とを、直線軌道上で伸縮自在にオーバラップさせた装置。
【請求項２】
L型管の開放端に連結した直管は、分岐ポットとの境界部の近くでその周りに輪溝を形成すると共に、前記輪溝に一端を挿入する抜け止め金具を、前記分岐ポットにビスでもって固定する請求項１に記載の装置。
【請求項３】
蓋材から突き出る硬質の直管は、前記蓋材との境界部の近くでその周りに輪溝を形成すると共に、前記輪溝に一端を挿入する抜け止め金具を、前記蓋材にビスでもって固定する請求項１に記載の装置。
【請求項４】
L型管の開放端に連結した直管は、その一部を可撓性パイプにより構成する請求項１に記載の装置。
【考案の詳細な説明】
【技術分野】
【０００１】
本考案は、ロータリ真空包装機における包装用耐圧チャンバーと、前記耐圧チャンバーに真空を作用させる配管の菅継ぎ手に関する。
【背景技術】
【０００２】
縦軸ロータ型の真空包装機の中には、前記縦軸を中心とする円軌道で多数の定盤を等間隔で公転させる一方、前記各定盤の上域にそれぞれ蓋材を配置し、かかる定盤と蓋材とによって所定数の耐圧チャンバーを構成するものがある。つまり前記各耐圧チヤンバーは、前記円軌道を１公転する間に、内部に配置した開封包装体の周囲に真空環境を形成し、この真空環境下で前記各包装体の袋口を密封したあと、前記各蓋材の開放と同時に、完全にシールした包装体を順次、チャンバー外に排除する構造である。
【０００３】
従って下記の特許文献１に示すように、前記円軌道中心に配置するロータリバルブと、このロータリバルブの周囲の前記各蓋材との間をホースで連結し、前記ホースの撓み特性を利用して各蓋材の上下への開閉運動を容易化しているが、たわみ可能な放物線状のホースはその内容積が大きく、このため空気の吸引時間がかかり、また弾力特性のあるこの種ホースは差圧が発生すると、その差圧に順応して収縮する特性があるので、配管内に付着する酸素分子を強制排除しにくいという欠点がある。その上、前記ロータリバルブにおける潤滑剤が前記耐圧チャンバーを真空にすることにより同ホースの方向に噴霧化して引き出され、高面積の同ホースの内面を汚染するという問題がある。
【０００４】
【特許文献１】特開昭６３−０００２５
【考案の開示】
【０００５】
本考案は、縦軸ロータリバルブの周囲の円軌道に配置した多数の定盤と、前記各定盤上域の蓋材とによりそれぞれ耐圧チャンバーを形成し、前記縦軸でもって回転するロータ上面に一端を枢支する放射状アームの多端で前記各蓋材を支持すると共に、前記枢支点を軸とする各アームの回転により、定盤上で前記各蓋材を開閉するタイプの真空包装機であって、前記ロータリバルブにおける前記耐圧チャンバーと同数の各ポートから突き出る分岐ポット側面に、硬質のL型管を回転自在に支持すると共に、該L型管の開放端に連結した直管と、前記蓋材から突き出る硬質の直管とを、直線軌道上で伸縮自在にオーバラップさせて構成する。
【０００６】
また本発明は、L型管の開放端に連結した直管は、分岐ポットとの境界部の近くでその周りに輪溝を形成すると共に、前記輪溝に一端を挿入する抜け止め金具を、前記分岐ポットにビスでもって固定し、さらに蓋材から突き出る硬質の直管は、前記蓋材との境界部の近くでその周りに輪溝を形成すると共に、前記輪溝に一端を挿入する抜け止め金具を、前記蓋材にビスでもって固定する。
【０００７】
各蓋材を支持する放射状のアームと、前記各蓋材をロータリバルブに連結する直管とは並列状であり、前記アームで蓋材を開閉するとき、前記アームの枢支点と前記直管の枢支点とのずれによって前記直管は、直線軌道上で強制的に収縮して内部での空気流通を可能にするもので、常に直線状である前記直管は、内部容積が従来のたわみホースに比較して小さく、従って各耐圧チャンバーの真空化が能率的である。またオーバラップする２本の直管を、ビスを戻すことでロータリバルブ及び蓋材から簡単に分解して、食品包装が主目的な真空包装機の衛生管理をまっとうできる効果がある。
【実施例１】
【０００８】
図２は装置の平面図であり、等間隔に設置する大小２個の歯車１１及び１２の周りにエンドレスチェン１３を配置し、前記エンドレスチェン１３に等間隔に支持した定盤１４を、前記歯車１１の回転動力により無端軌道に沿って運搬する。前記歯車１１はいわゆるロータを形成し、該ロータ１１中心の縦軸１７の周りから放射状に突き出る８本のアーム１５はそれぞれ蓋材１６を吊り下げ、同蓋材１６と前記定盤１４とにより耐圧チャンバー２０を構成する。
【０００９】
前記大歯車部分の側面を示す図３において、前記の耐圧チヤンバー２０を構成する、ロータ１１に係合するエンドレスチェン１３に支持した定盤１４と、前記ロータ１１の上面を枢支点１８とするアーム１５に支持した蓋材１６を示している。図２においてロータ１１の周りで前記蓋材１６は円軌道を回転し、該各蓋材それそれが長円軌道を回転する定盤１４と合致して形成する耐圧チャンバー２０内の真空環境下で、包袋に収容した被包装物を真空包装する技術に関しては公知事項であるので、詳細は省略する。
【００１０】
図３におけるロータ１１の補助軸受け１９にスライド自在に支持するロッド２１が、前記ロータ１１の回転でレール２２の隆起抵抗を受けることにより、前記のアーム１５及び蓋材１６は前記枢支点１８を軸に上下動する。２基の真空ポンプと繋がる２本の吸引管２５，２６は、ロータリバルブ２７の上部固定盤と繋がり、同固定盤の下側で回転する可動盤３１は８個の耐圧チャンバー２０に繋がる８個のポートを蓮根穴のように備え、この可動盤３１における前記８個のポートと、前記各蓋材１６とをそれぞれ硬質の直管４０を介して連結する。
【００１１】
図４に示すように前記可動盤３１における８個のポート３３は下側に分岐ポット４５を設け、図５にも示すごとく前記分岐ポット３０側面の穴３４に、シールパッキングを介して硬質L型管４１を回転自在に支持すると共に、該L型管４１に続いて前記の硬質直管４０を設ける。
【００１２】
図６において前記蓋材１６の側面から水平に突き出る別箇の硬質直管３５の周りに、前記L型管４１に繋がる硬質直管４０の開放端を、シール材を介してオーバラップさせる。この場合、図１のごとく前記アーム１５はピン２９を介して前記蓋材１６を吊り下げており、その多端の枢支点１８を軸とする回転軌道２８と、前記分岐ポット４５を軸とする蓋材１６の回転軌道３２とを不平行にすることにより、２つの直管３５、４０のオーバラップ部分はスライドして管全体は伸縮する。なお前記硬質直管４０をカットしその間に可撓性の管４６を介設したのは、この可撓性管４６の柔軟性クッション作用でもって前記２つの硬質管３５,４０のスライドを容易にするためである。しかし前記分岐ポット４５の部分で管４０は回転が自由でありかつ前記可撓性管４６は短く構成されるので、同管４０が大きく湾曲することはない。
【００１３】
図５に示すように分岐ポット４５との境界において、前記L型管４１の周りに溝４２を形成し、前記輪溝４２に挿入する抜け止め金具４３を、ビス４４でもって前記分岐ポット４５に着脱自在に固定する。また図７に示すように、蓋材１６との境界において前記直管３５の周りに溝４８を形成し、前記輪溝４８に挿入する抜け止め金具４９を、ビス５０でもって前記蓋材１６に着脱自在に固定する。以上各構成は直管内面に付着するロータリバルブから移転する潤滑剤の洗浄を容易にする。
【図面の簡単な説明】
【００１４】
【図１】配管オーバラップ部の断面図
【図２】ロータリ真空包装機の平面図
【図３】前図一部の側面図
【図４】分岐ポットに対する直管の結合説明図
【図５】前図の下側面図
【図６】配管オーバラップ部の断面図
【図７】前図における部分拡大図
【符号の説明】
【００１５】
１１‥‥ロータ
１４‥‥定盤
１５…アーム
１６‥‥蓋材
１７‥‥縦軸
２０…耐圧チャンバー
３１‥‥可動盤
３５…硬質直管
４０…硬質直管
４１…L型管
４３‥‥抜け止金具
４５…分岐ポット
４６‥‥可撓性管
４７…抜け止金具
【図１】
0003112239.tif 000003
【図２】
0003112239.tif 000004
【図３】
0003112239.tif 000005
【図４】
0003112239.tif 000006
【図５】
0003112239.tif 000007
【図６】
0003112239.tif 000008
【図７】
0003112239.tif 000009